(57)【要約】【課題】仮再封が容易であり、仮再封された蓋材の容器本体への係止が確実である仮再封が良好なシート状蓋材付カップ容器提供する。【解決手段】シート状蓋材100 が、容器本体200 の開口部外周に設けられたフランジ220 に、剥離可能に熱融着されて密封するカップ容器10であって、シート状蓋材の前方外周端に、狭幅の先端摘み部111 とこの先端摘み部に連続して漸次広幅となる接続基部115 とからなる開閉用摘み片110 を突設し、接続基部に先端摘み部を差し込み可能な左右方向の差込み用切込み線116 を設け、この差込み用切込み線に先端摘み部を差し込んだときに後方側へ突出する形状の左右方向の引掛け用切込み線112 を先端摘み部に設ける。【選択図】図１
2005306440.tif 000002
【特許請求の範囲】
【請求項１】
シート状蓋材が、容器本体の開口部外周に設けられたフランジに、剥離可能に熱融着されて密封するカップ容器において、シート状蓋材の前方外周端に、狭幅の先端摘み部とこの先端摘み部に連続して漸次広幅となる接続基部とからなる開閉用摘み片を突設し、接続基部に先端摘み部を差し込み可能な左右方向の差込み用切込み線を設け、この差込み用切込み線に先端摘み部を差し込んだときに後方側へ突出する形状の左右方向の引掛け用切込み線を先端摘み部に設け、シート状蓋材をほぼ中程まで前方部分を剥離して容器本体を開封したのちに、先端摘み部を接続基部の差込み用切込み線に上方から下方へ差し込んで、差し込まれた先端摘み部の引掛け用切込み線の後方側へ突出する前方縁部上面を容器本体のフランジの下面に引っ掛け、かつ引掛け用切込み線の後方側への突出する後方縁部上面をシート状蓋材の接続基部の差込み用切込み線の後方縁部上面に引っ掛けて容器本体を仮再封し、または、先端摘み部を接続基部の差込み用切込み線に下方から上方へ差し込んで、差し込まれた先端摘み部の引掛け用切込み線の後方側へ突出する後方縁部下面を容器本体のフランジの下面に引っかけ、かつ引掛け用切込み線の後方側へ突出する前方縁部下面をシート状蓋材の接続基部の切込み線の後方縁部上面に引っかけて容器本体を仮再封することを特徴とする仮再封が良好なシート状蓋材付カップ容器。
【請求項２】
差込み用切込み線が、左右方向の長い直線の左右端に、前方方向の短い直線が連続する形状であることを特徴とする請求項１記載の仮再封が良好なシート状蓋材付カップ容器。
【請求項３】
引掛け用切込み線が、左右方向の前方方向へ膨らむ長い円弧の左右端に、前方方向の短い直線が連続する形状であることを特徴とする請求項１又は２記載の仮再封が良好なシート状蓋材付カップ容器。
【請求項４】
容器本体のフランジの形状が、開封された容器本体を仮再封するときに、シート状蓋材の摘み片の先端摘み部の差込み用切込み線の後方側への突出する前方縁部又は後方縁部が引っ掛かり易い形状であることを特徴とする請求項１乃至３記載の仮再封が良好なシート状蓋材付カップ容器。
【請求項５】
カップ容器の容器本体の開口部外周に設けられたフランジに、容器本体を密封するために剥離可能に熱融着されるシート状蓋材であって、前方外周端に、狭幅の先端摘み部とこの先端摘み部に連続して漸次広幅となる接続基部とからなる開閉用摘み片を突設し、接続基部に先端摘み部を差し込み可能な左右方向の差込み用切込み線を設け、この差込み用切込み線に先端摘み部を差し込んだときに後方側へ突出する形状の左右方向の引掛け用切込み線を先端摘み部に設けたことを特徴とするシート状蓋材。
【発明の詳細な説明】
【技術分野】
【０００１】
本発明は、即席麺に代表される湯戻しが必要な食品などに使用される仮再封が良好なシート状蓋材付カップ容器に関するものである。
【背景技術】
【０００２】
従来、いわゆるカップ麺やカップ焼きそばなどの湯戻しを必要とする食品は、発砲プラスチックの断熱性を考慮したカップ状の容器本体に収納され、その容器本体の開口部に、シート成形された成形蓋材を被せて封止するか、または、容器本体の開口部外周のフランジに、アルミニウム箔をガスバリア層とし最下層に熱融着樹脂層をもつ積層シートのシート状蓋材を剥離可能に熱融着して密封していた。後者のシート状蓋材によるものは、密封すると言う観点から広く使用されていた。この容器は、使用するときに、シート状蓋材をほぼ半分程度まで剥離して開口し、湯を容器本体内に注いで内容物を湯戻しするが、湯戻しの間は一旦剥離したシート状蓋材を容器本体に被せ直して、摘み片を折り曲げてフランジに引っ掛けたり、別添のシールで止めたり、重しを乗せたりして、冷めないように仮再封していた。ところが、近年、環境保全の立場から、包装容器のリサイクル性や廃棄処理性（分別回収）を考慮して、ガスバリア層として、アルミニウム箔を使用しない積層シートのシート状蓋材が使用されるようになってきた。しかし、このアルミニウム箔を使用しないシート状蓋材は、剛性をもつアルミニウム箔を使用したシート状蓋材のようなデッドフォルド（ｄｅａｄ  ｆｏｌｄ）性が得られないため、摘み片を折り曲げてフランジに引っ掛けて仮再封が難しくなった。
【０００３】
これを解決するために、例えば、蓋材の容器本体のフランジよりも突出する摘み片のほぼ中央にフランジ側に膨らむ切込み線を設け、仮再封するときに、この切込み線によって形成された切り込み片を指先あるいは先の尖ったもので下方に押し込んで、切り込み片がフランジの下側に来るようにして係止させて仮再封するものがある（特許文献１参照）。また、蓋材を楕円形状にし、長径方向の少なくとも一端に容器本体のフランジ外周とほぼ同一の円弧の切れ目線と、この切れ目線と楕円端縁で形成される三日月状フラップの両端に設けられた罫線を設け、仮再封するときに、三日月樹フラップを下方へ押し下げると、フラップは両端にある罫線から折れ曲がり、フラップの内縁が左右２点で容器本体のフランジの外周に接触して係止するものがある（特許文献２参照）。
【特許文献１】特開２００１−４８２２０号公報
【特許文献２】特開平７−１７５５４号公報
【発明の開示】
【発明が解決しようとする課題】
【０００４】
しかしながら、上述した前者の特許文献１の蓋材は、摘み片の切込み線によって形成された切り込み片の先端が容器本体のフランジに引っ掛かるだけであり、十分な係止状態を得ることが出来ず、水蒸気などにより生じる蓋材のカールに抗しきれずに、蓋材が開いてしまうことがあった。また、後者の特許文献２の蓋材は、機能面では優れているが、材質に剛性が必要であり、面積も広くとる必要があるため、コストダウンが計り難い問題があった。また、使用方法が分かり難いこともあった。
【０００５】
本発明は、上述の従来のシート状蓋材付カップ容器の仮再封時の問題点を解決したものであり、仮再封が容易であり、仮再封された蓋材の容器本体への係止が確実である仮再封が良好なシート状蓋材付カップ容器提供するものである。
【課題を解決するための手段】
【０００６】
すなわち、本発明の第１の発明は、シート状蓋材が、容器本体の開口部外周に設けられたフランジに、剥離可能に熱融着されて密封するカップ容器において、シート状蓋材の前方外周端に、狭幅の先端摘み部とこの先端摘み部に連続して漸次広幅となる接続基部とからなる開閉用摘み片を突設し、接続基部に先端摘み部を差し込み可能な左右方向の差込み用切込み線を設け、この差込み用切込み線に先端摘み部を差し込んだときに後方側へ突出する形状の左右方向の引掛け用切込み線を先端摘み部に設け、シート状蓋材をほぼ中程まで前方部分を剥離して容器本体を開封したのちに、先端摘み部を接続基部の差込み用切込み線に上方から下方へ差し込んで、差し込まれた先端摘み部の引掛け用切込み線の後方側へ突出する前方縁部上面を容器本体のフランジの下面に引っ掛け、かつ引掛け用切込み線の後方側への突出する後方縁部上面をシート状蓋材の接続基部の差込み用切込み線の後方縁部上面に引っ掛けて容器本体を仮再封し、または、先端摘み部を接続基部の差込み用切込み線に下方から上方へ差し込んで、差し込まれた先端摘み部の引掛け用切込み線の後方側へ突出する後方縁部下面を容器本体のフランジの下面に引っ掛け、かつ引掛け用切込み線の後方側へ突出する前方縁部下面をシート状蓋材の接続基部の切込み線の後方縁部上面に引っかけて容器本体を仮再封することを特徴とする仮再封が良好なシート状蓋材付カップ容器である。
【０００７】
次に、本発明の第２の発明は、差込み用切込み線が、左右方向の長い直線の左右端に、前方方向の短い直線が連続する形状であることを特徴とする第１の発明に記載する仮再封が良好なシート状蓋材付カップ容器である。
【０００８】
次に、本発明の第３の発明は、引掛け用切込み線が、左右方向の前方方向へ膨らむ長い円弧の左右端に、前方方向の短い直線が連続する形状であることを特徴とする第１又は第２の発明に記載する仮再封が良好なシート状蓋材付カップ容器である。
【０００９】
次に、本発明の第４の発明は、容器本体のフランジの形状が、開封された容器本体を仮再封するときに、シート状蓋材の摘み片の先端摘み部の差込み用切込み線の後方側への突出する前方縁部又は後方縁部が引っ掛かり易い形状であることを特徴とする第１乃至３の発明に記載の仮再封が良好なシート状蓋材付カップ容器である。
【００１０】
そして、本発明の第５の発明は、カップ容器の容器本体の開口部外周に設けられたフランジに、容器本体を密封するために剥離可能に熱融着されるシート状蓋材であって、前方外周端に、狭幅の先端摘み部とこの先端摘み部に連続して漸次広幅となる接続基部とからなる開閉用摘み片を突設し、接続基部に先端摘み部を差し込み可能な左右方向の差込み用切込み線を設け、この差込み用切込み線に先端摘み部を差し込んだときに後方側へ突出する形状の左右方向の引掛け用切込み線を先端摘み部に設けたことを特徴とするシート状蓋材である。
【発明の効果】
【００１１】
本発明の仮再封が良好なシート状蓋材付カップ容器は、シート状蓋材をほぼ中程まで前方部分を剥離してカップ容器を開封したのち、容器を仮再封するときに、図１（ａ）に示すシート状蓋材（１００）の開閉用摘み片（１１０）の先端摘み部（１１１）を、開閉用摘み片の接続基部（１１５）の差込み用切込み線（１１６）に、図２に示すように、上方から下方へ差し込んで、差し込まれた先端摘み部（１１１）の引掛け用切込み線の後方側へ自動的に突出する前方縁部（１１３）上面を容器本体（２００）のフランジ（２２０）の下面に引っ掛け、同時に、引掛け用切込み線の後方側への自動的に突出する後方縁部（１１４）上面（図２では、下側面）を図１（ａ）に示すシート状蓋材（１００）の接続基部（１１５）の差込み用切込み線（１１６）の後方縁部（１１８）上面に引っ掛けると、
容易な操作で、係止保持が良好に、図２に示すように、容器本体（２００）を仮再封することができる。
【００１２】
また、本発明の仮再封が良好なシート状蓋材付カップ容器は、容器を仮再封するときに、図１（ａ）に示すシート状蓋材（１００）の開閉用摘み片（１１０）の先端摘み部（１１１）を、開閉用摘み片の接続基部（１１５）の差込み用切込み線（１１６）に、図３に示すように、下方から上方へ差し込んで、差し込まれた先端摘み部（１１１）の引掛け用切込み線の後方側へ自動的に突出する後方縁部（１１４）下面（図３では、上側面）を容器本体（２００）のフランジ（２２０）の下面に引っ掛け、同時に、引掛け用切込み線の後方側へ自動的に突出する前方縁部（１１３）下面を図１（ａ）に示すシート状蓋材（１００）の接続基部（１１５）の切込み線（１１６）の後方縁部（１１８）上面に引っ掛けると、容易な操作で、係止保持が良好に、図３に示すように、容器本体（２００）を仮再封することができる。
【発明を実施するための最良の形態】
【００１３】
次に、本発明の仮再封が良好なシート状蓋材付カップ容器の一実施形態について、図を用いて詳細に説明する。
【００１４】
図１（ａ）は、本実施形態の仮再封が良好なシート状蓋材付カップ容器の平面図であり、図１（ｂ）は、その右側面図である。図２は、図１のカップ容器のシート状蓋材をほぼ半分だけ開封したのちに、先端摘み部を接続基部の差込み用切込み線に上方から下方へ差し込んで、容器本体を仮再封したときの状態を示す説明図である。図３は、先端摘み部を接続基部の差込み用切込み線に下方から上方へ差し込んで、容器本体を仮再封したときの状態を示す説明図である。
【００１５】
本実施形態の仮再封が良好なシート状蓋材付カップ容器は、例えば、即席麺に代表される湯戻しが必要な食品などに使用されるものであり、使用するときに、シート状蓋材をほぼ半分程度まで剥離して開口し、湯を容器本体内に注いだのちに、一旦剥離したシート状蓋材を容器本体に被せ直して、湯戻しのあいだ仮再封するものである。容器本体は、開口部の外周にフランジを周設するカップ状の容器で、蓋材は、最下層に熱融着樹脂層をもち適度の剛性をもつプラスチックや紙などの積層シートである。
【００１６】
本実施形態のシート状蓋材の構造は、図１（ａ）に示すように、前方外周端に、狭幅の先端摘み部（１１１）とこの先端摘み部に連続して漸次曲線状に広幅となる接続基部（１１５）とからなる開閉用摘み片（１１０）を突設するものであり、接続基部に先端摘み部を差し込み可能な左右方向の差込み用切込み線（１１６）を設け、この差込み用切込み線に先端摘み部を差し込んだときに、後方側へ突出する形状の左右方向の引掛け用切込み線（１１２）を先端摘み部に設けるものである。差込み用切込み線（１１６）の形状は、図１（ａ）に示すように、先端摘み部（１１１）が差し込み易いような形状であり、例えば、左右方向の長い直線の左右端に、前方方向の短い直線が連続する形状にするものである。また、引掛け用切込み線（１１２）の形状は、先端摘み部を差込み用切込み線に差し込んだときに、引掛け用切込み線の前方縁部（１１３）が後方側へ自動的に突出し、同時に、引掛け用切込み線の後方縁部（１１４）が後方側への自動的に突出するような形状であり、例えば、左右方向の前方方向へ膨らむ長い円弧の左右端に、前方方向の短い直線が連続する形状にするものである。
【００１７】
本実施形態の容器本体（２００）の構造は、図１（ｂ）に示すように、胴部（２１０）が上方に開口部をもつカップ状であり、開口部の外周にシート状蓋材を熱融着するフランジを周設するものである。このフランジの形状は、開封されたカップ容器を仮再封するときに、シート状蓋材の摘み片の先端摘み部の差込み用切込み線の後方側への突出する前方
縁部又は後方縁部が引っ掛かり易い形状にするものであり、例えば、シート状蓋材の摘み片の先端摘み部が係止するフランジの下面形状を平らな面にしたり、係止するフランジの部分を幅広くしたり、フランジ下面の外周縁部にリング状の係止リブを設けるものである。
【００１８】
そして、シート状蓋材をほぼ中程まで前方部分を剥離して容器本体を開封したのちに、必要な時間だけ仮再封する方法は、先端摘み部を接続基部の差込み用切込み線に上方から下方へ差し込んで、差し込まれた先端摘み部の引掛け用切込み線の後方側へ突出する前方縁部上面を容器本体のフランジの下面に引っ掛け、同時に、引掛け用切込み線の後方側への突出する後方縁部上面をシート状蓋材の接続基部の差込み用切込み線の後方縁部上面に引っ掛けて容器本体を仮再封するものか、または、先端摘み部を接続基部の差込み用切込み線に下方から上方へ差し込んで、差し込まれた先端摘み部の引掛け用切込み線の後方側へ突出する後方縁部下面を容器本体のフランジの下面に引っ掛け、かつ引掛け用切込み線の後方側へ突出する前方縁部下面をシート状蓋材の接続基部の切込み線の後方縁部上面に引っかけて容器本体を仮再封するものである。
【実施例】
【００１９】
表面側に印刷を施した坪量１１０ｇ／ｍ2 の紙の裏面側に５０μｍ厚のヒートシール性樹脂フィルムを積層したシート状蓋材を、高さが９１ｍｍ、開口部のフランジ外径が９７ｍｍで幅が２．７ｍｍ、底外径が７０ｍｍのカップ状容器本体に、ヒートシール法により熱融着して密封して本実施例の仮再封が良好なシート状蓋材付カップ容器を作製した。シート状蓋材（１０）は、図１（ａ）に示すように、外径が９７ｍｍで、前方外周端に、狭幅の先端摘み部（１１１）とこの先端摘み部に連続して漸次曲線で広幅となる接続基部（１１５）とからなる開閉用摘み片（１１０）を突設しものであり、この開閉用摘み片は、容器本体のフランジの外周対応位置から先端まで３７ｍｍであり、先端摘み部の幅は、先端幅が１７ｍｍで後端幅が２４ｍｍであり、容器本体のフランジの外周対応位置から前方２ｍｍの位置の接続基部に、左右方向の２４ｍｍの直線の左右端に前方方向で外開きの２ｍｍの直線が連続する差込み用切込み線を設け、この差込み用切込み線から１５ｍｍ前方の先端摘み部の位置に、左右方向の半径１０．５ｍｍで前方方向へ膨らむ円弧の左右端に、前方方向の５ｍｍの直線が連続する引掛け用切込み線を設けたものである。
【００２０】
上述の本実施例のシート状蓋材付カップ容器のシート状蓋材を、ほぼ中程まで前方部分を剥離してカップ容器を開封したのち、容器を仮再封するために、図２に示すように、シート状蓋材（１００）の開閉用摘み片（１１０）の先端摘み部（１１１）を、開閉用摘み片の接続基部（１１５）の差込み用切込み線（１１６）に、上方から下方へ差し込んで、差し込まれた先端摘み部（１１１）の引掛け用切込み線（１１２）の後方側へ自動的に突出する前方縁部（１１３）上面を容器本体（２００）のフランジ（２２０）の下面に引っ掛け、同時に、引掛け用切込み線の後方側への自動的に突出する後方縁部（１１４）上面を図１（ａ）に示すシート状蓋材（１００）の接続基部（１１５）の差込み用切込み線（１１６）の後方縁部（１１８）上面に引っ掛けると、容器本体（２００）を仮再封することができた。この仮再封は、操作が容易であり、熱湯を入れても係止保持が良好であった。
【図面の簡単な説明】
【００２１】
【図１】（ａ）は、本発明の一実施形態の仮再封が良好なシート状蓋材付カップ容器の平面図であり、（ｂ）は、右側面図である。
【図２】先端摘み部を接続基部の差込み用切込み線に上方から下方へ差し込んで、容器本体を仮再封したときの状態を示す説明図である。
【図３】先端摘み部を接続基部の差込み用切込み線に下方から上方へ差し込んで、容器本体を仮再封したときの状態を示す説明図である。
【符号の説明】
【００２２】
１０……カップ容器
１００……シート状蓋材
１１０……開閉用摘み片
１１１……先端摘み部
１１２……引掛け用切込み線
１１３，１１７……前方縁部
１１４，１１８……後方縁部
１１５……接続基部
１１６……差込み用切込み線
２００……容器本体
２１０……胴部
２２０……フランジ
【図１】
2005306440.tif 000003
【図２】
2005306440.tif 000004
【図３】
2005306440.tif 000005